(57)【要約】  電子装置の制御方法を開示する。本制御方法は、特定イメージを選択してもらうステップと、選択してもらったイメージに対して、輪郭線を有し透明度が調節された第１のイメージを生成するステップと、生成された第１のイメージを、電子装置のライブビュー撮影に対応する撮影イメージと重ねて表示するステップと、を含む。
2016531453.tif 000002
【特許請求の範囲】
【請求項１】
電子装置の制御方法であって、
特定イメージを選択してもらうステップと、
前記選択してもらったイメージに対して、輪郭線を有し透明度が調節された第１のイメージを生成するステップと、
前記生成された第１のイメージを、前記電子装置のライブビュー撮影に対応する撮影イメージと重ねて表示するステップと、を含む制御方法。
【請求項２】
前記生成するステップは、
前記選択してもらったイメージにおける輪郭線を抽出した第２のイメージを生成するステップと、
前記選択してもらったイメージにおける透明度を調節した第３のイメージを生成するステップと、
前記生成された第２、第３のイメージを結合して前記第１のイメージを生成するステップと、を含む、請求項１に記載の制御方法。
【請求項３】
前記表示するステップでは、
透明度調節対象を選択してもらうための第１の領域、透明度レベルを選択してもらうための第２の領域、前記撮影に対する自動焦点ＯＮ／ＯＦＦ制御を選択してもらうための第３の領域をさらに含む画面を表示する、請求項２に記載の制御方法。
【請求項４】
前記透明度調節対象は、
前記第１のイメージに含まれた輪郭線及び前記第１のイメージで前記輪郭線を除いた領域の少なくとも一つを含み、
前記第１のイメージを生成するステップでは、
前記第１の領域で選択してもらった透明度調節対象、前記第２の領域で選択してもらった透明度レベルに基づいて前記第１のイメージを生成する、請求項３に記載の制御方法。
【請求項５】
前記第１のイメージを生成するステップでは、
前記選択してもらったイメージのＲＧＢＡ値のうち、前記選択してもらった透明度レベルに対応するＡ（ＡＬＰＨＡ）値を適用することで前記第１のイメージを生成する、請求項４に記載の制御方法。
【請求項６】
前記表示するステップでは、
前記撮影イメージを下位レイヤーに配置し、前記生成された第１のイメージを上位レイヤーに配置して、前記撮影イメージと前記生成された第１のイメージとを重ねて表示する、請求項１から５のいずれか一項に記載の制御方法。
【請求項７】
前記表示するステップは、
精密描写メニューが選択されると、前記第１のイメージを複数の領域に区画して、前記電子装置のライブビュー撮影に対応する撮影イメージとともに表示し、
前記複数の領域のうち一領域が選択されると、前記選択された一領域を拡大して、前記電子装置のライブビュー撮影に対応する撮影イメージと重ねて表示するステップをさらに含む、請求項１から６のいずれか一項に記載の制御方法。
【請求項８】
前記生成された第１のイメージをイメージ交換／取り引きサーバに送信するステップをさらに含む、請求項１から７のいずれか一項に記載の制御方法。
【請求項９】
電子装置であって、
撮影部と、
画面を表示するディスプレイ部と、
特定イメージを選択してもらうためのユーザの入力を受信する入力部と、
前記選択してもらったイメージに対して、輪郭線を有し透明度が調節された第１のイメージを生成し、前記生成された第１のイメージを、前記電子装置のライブビュー撮影に対応する撮影イメージと重ねて表示するように前記ディスプレイ部を制御する制御部と、を含む電子装置。
【請求項１０】
前記制御部は、
前記選択してもらったイメージにおける輪郭線を抽出した第２のイメージを生成し、前記選択してもらったイメージにおける透明度を調節した第３のイメージを生成して、前記生成された第２、第３のイメージを結合して前記第１のイメージを生成する、請求項９に記載の電子装置。
【請求項１１】
前記制御部は、
透明度調節対象を選択してもらうための第１の領域、透明度レベルを選択してもらうための第２の領域、前記撮影に対する自動焦点ＯＮ／ＯＦＦ制御を選択してもらうための第３の領域をさらに含む画面を表示するように、前記ディスプレイ部を制御する、請求項１０に記載の電子装置。
【請求項１２】
前記透明度調節対象は、
前記第１のイメージに含まれた輪郭線及び前記第１のイメージで前記輪郭線を除いた領域の少なくとも一つを含み、
前記制御部は、
前記第１の領域で選択してもらった透明度調節対象、前記第２の領域で選択してもらった透明度レベルに基づいて前記第１のイメージを生成する、請求項１１に記載の電子装置。
【請求項１３】
前記制御部は、
前記選択してもらったイメージのＲＧＢＡ値のうち、前記選択してもらった透明度レベルに対応するＡ（ＡＬＰＨＡ）値を適用することで前記第１のイメージを生成する、請求項１２に記載の電子装置。
【請求項１４】
格納部をさらに含み、
前記制御部が、前記第１のイメージのための別のフォルダに前記生成された第３のイメージを格納するように、前記格納部を制御する、請求項９から１３のいずれか一項に記載の電子装置。
【請求項１５】
電子装置の制御方法をコンピュータに実行させるプログラムであって、
前記制御方法が、
特定イメージを選択してもらうステップと、
前記選択してもらったイメージに対して、輪郭線を有し透明度が調節された第１のイメージを生成するステップと、
前記生成された第１のイメージを、前記電子装置のライブビュー撮影に対応する撮影イメージと重ねて表示するステップと、を含む、プログラム。
【発明の詳細な説明】
【技術分野】
【０００１】
電子装置、電子装置の制御方法、及びプログラムに関し、より詳細には、イメージ処理を行う電子装置、電子装置の制御方法、及びプログラムに関する。
【背景技術】
【０００２】
電子技術の発達に伴い、種々の電子装置が開発及び普及されている。特に、優れたＩＴ技術に基づく最先端のスマートフォン、スマートグラスなどの電子装置も普及されている。
【０００３】
近年、最先端電子装置の値下げや性能向上などにより、最先端電子装置に対する需要が増加しつつある。これに伴い、最先端電子装置に応じた便利でかつ多様な使用方法を開発するための努力も加速化している。
【０００４】
その結果、電子装置を使用するユーザの便宜のために、種々のアプリケーションの開発が要求されている状況である。
【発明の概要】
【発明が解決しようとする課題】
【０００５】
本発明は上述の必要性によってなされたものであって、本発明は、特定イメージに対して、輪郭線を有し透明度が調節されたイメージを生成し、生成されたイメージをライブビュー撮影に対応する撮影イメージとともに表示する電子装置、電子装置の制御方法、及びプログラムを提供することを目的とする。
【課題を解決するための手段】
【０００６】
上述の目的を達成するための本発明の一実施形態による電子装置の制御方法は、特定イメージを選択してもらうステップと、前記選択してもらったイメージに対して、輪郭線を有し透明度が調節された第１のイメージを生成するステップと、前記生成された第１のイメージを、前記電子装置のライブビュー撮影に対応する撮影イメージと重ねて表示するステップと、を含む
【０００７】
また、上述の目的を達成するための本発明の一実施形態による電子装置は、撮影部と、画面を表示するディスプレイ部と、特定イメージを選択してもらうためにユーザの入力を受信する入力部と、前記選択してもらったイメージに対して、輪郭線を有し透明度が調節された第１のイメージを生成し、前記生成された第１のイメージを前記電子装置のライブビュー撮影に対応する撮影イメージと重ねて表示するように前記ディスプレイ部を制御する制御部と、を含む。
【０００８】
また、上述の目的を達成するための本発明の一実施形態による電子装置の制御方法をコンピュータに実行させるためのプログラムであって、前記制御方法が、特定イメージを選択してもらうステップと、前記選択してもらったイメージに対して、輪郭線を有し透明度が調節された第１のイメージを生成するステップと、前記生成された第１のイメージを、前記電子装置のライブビュー撮影に対応する撮影イメージと重ねて表示するステップと、を含む。
【０００９】
また、上述の目的を達成するための本発明の一実施形態による電子メガネの制御方法は、写し描きを所望するイメージを選択するユーザの入力を受信するステップと、前記選択してもらったイメージに対して、輪郭線を有し透明度が調節された第１のイメージを生成するステップと、前記生成された第１のイメージを、前記電子メガネの着用者の視覚により認知される前景と重ねて表示するステップと、を含む。
【００１０】
また、上述の目的を達成するための本発明の一実施形態による電子メガネは、前記電子メガネの着用者の視覚により認知される前景にディスプレイ効果を提供するディスプレイ部と、写し描きを所望するイメージを選択するユーザの入力を受信する入力部と、前記選択してもらったイメージに対して、輪郭線を有し透明度が調節された第１のイメージを生成し、前記生成された第１のイメージを前記電子メガネの着用者の視覚により認知される前景と重ねて表示するように前記ディスプレイ部を制御する制御部と、を含む。
【００１１】
また、上述の目的を達成するための本発明の一実施形態による電子メガネの制御方法をコンピュータに実行させるプログラムであって、前記制御方法が、写し描きを所望するイメージを選択するユーザの入力を受信するステップと、前記選択してもらったイメージに対して、輪郭線を有し透明度が調節された第１のイメージを生成するステップと、前記生成された第１のイメージを前記電子メガネの着用者の視覚により認知される前景と重ねて表示するステップと、を含む。
【発明の効果】
【００１２】
上述の本発明の様々な実施形態によれば、表示される画面に、撮影イメージとイメージ処理された（特定イメージに対する、輪郭線を有し透明度が調節された）第１のイメージとを重ねてともに表示することができる。これにより、ユーザは、表示された画面を見ながら、紙などの媒体に表示されている絵を容易に写し描くことができる。すなわち、ユーザは、透明フィルムや油紙をあてて絵を写し描くことと同様の効果を電子装置により得ることができる。
【００１３】
本発明の様々な実施形態によれば、誰でも描きたい絵を容易に写し描くことができる。例えば、好きなスター、欲しい車、自ら描きたい家族写真、風景、ブロマイド、画譜などの視覚的資料（イメージ）さえあれば、何でも容易に写し描くことができる。この際、輪郭線に沿ってスケッチできるだけでなく、原イメージに対する第３イメージの透明度を調節することで、明暗表現や彩色も可能である。
【図面の簡単な説明】
【００１４】
【図１】本発明の一実施形態による電子装置を示したブロック図である。
【図２】図１による電子装置を具体的に示したブロック図である。
【図３】本発明の一実施形態による電子装置の制御方法を説明するためのＵＩ（Ｕｓｅｒ  Ｉｎｔｅｒｆａｃｅ）画面の一例を示した図面である。
【図４】本発明の一実施形態による電子装置の制御方法を説明するためのＵＩ（Ｕｓｅｒ  Ｉｎｔｅｒｆａｃｅ）画面の一例を示した図面である。
【図５】本発明の一実施形態による電子装置の制御方法を説明するためのＵＩ（Ｕｓｅｒ  Ｉｎｔｅｒｆａｃｅ）画面の一例を示した図面である。
【図６】本発明の一実施形態による電子装置の制御方法を説明するためのＵＩ（Ｕｓｅｒ  Ｉｎｔｅｒｆａｃｅ）画面の一例を示した図面である。
【図７】本発明の一実施形態による電子装置の制御方法を説明するためのＵＩ（Ｕｓｅｒ  Ｉｎｔｅｒｆａｃｅ）画面の一例を示した図面である。
【図８】本発明の一実施形態による電子装置の制御方法を説明するためのＵＩ（Ｕｓｅｒ  Ｉｎｔｅｒｆａｃｅ）画面の一例を示した図面である。
【図９】本発明の一実施形態による電子装置を用いて絵を写し描く方法の一例を示した図面である。
【図１０】本発明の一実施形態による電子装置がスマートグラスとして具現された一例を示した図面である。
【図１１】本発明の一実施形態による電子装置の制御方法を説明するためのフローチャートである。
【図１２】本発明の一実施形態による、輪郭線を有し透明度が調節された第１のイメージを生成する方法を説明するためのフローチャートである。
【図１３】本発明の一実施形態による、輪郭線を有し透明度が調節された第１のイメージを生成する方法を説明するためのフローチャートである。
【図１４】本発明の一実施形態による着用型電子装置を用いて絵を写し描く方法の一例を示した図面である。
【発明を実施するための形態】
【００１５】
以下の内容は、単に本発明の原理を例示する。したがって、当業者は、たとえ本明細書に明確に説明または図示されていないとしても、本発明の原理を具現し、本発明の概念及び範囲に含まれた多様な装置を発明することができる。また、本明細書に挙げられたあらゆる条件付き用語及び実施形態は、原則的に、本発明の概念の理解を助けることだけを意図したものであり、このように特に挙げられた実施形態及び状態に本発明が限定されるものではないと理解されねばならない。
【００１６】
また、本発明の原理、観点及び実施形態だけではなく、特定の実施形態を挙げるあらゆる詳細な説明は、このような事項の構造的及び機能的な均等物を含むことを意図するものと理解されねばならない。また、このような均等物は、現在公知の均等物だけではなく、今後開発される均等物、すなわち、構造と関係なく同じ機能を行うように発明されたあらゆる素子を含むと理解されねばならない。
【００１７】
したがって、例えば、本明細書のブロック図は、本発明の原理を具体化する例示的な回路の概念的観点を示すものと理解されねばならない。これと類似して、全てのフローチャート、状態変換図、疑似コードなどは、コンピュータが読み取り可能な媒体に実質的に示すことができ、コンピュータまたはプロセッサが明確に示されているか否かを問わず、コンピュータまたはプロセッサによって行われる多様なプロセスを示すと理解されねばならない。
【００１８】
プロセッサまたはこれと類似した概念で表示された機能ブロックを含む図面に図示された多様な要素の機能は、専用ハードウェアだけでなく適切なソフトウェアに関してソフトウェアを実行する能力を持つハードウェアの使用により提供され得る。プロセッサにより提供される際に、上記機能は、単一の専用プロセッサ、単一の共有プロセッサ、または複数の個別的プロセッサにより提供されることができ、これらのうち一部は共有され得る。
【００１９】
また、プロセッサ、制御、またはこれと類似した概念で提示される用語の明確な使用は、ソフトウェアを実行する能力を持つハードウェアを排他的に引用して解釈されてはならず、限定されずに、デジタル信号プロセッサ（ＤＳＰ）ハードウェア、ソフトウェアを格納するためのＲＯＭ（Ｒｅａｄ  Ｏｎｌｙ  Ｍｅｍｏｒｙ）、ＲＡＭ、及び不揮発性メモリを暗示的に含むと理解されねばならない。周知慣用の他のハードウェアも含まれ得る。
【００２０】
特許請求の範囲で、詳細な説明に記載された機能を行うための手段として表現された構成要素は、例えば前記機能を行う回路素子の組合せまたはファームウェア／マイクロコードなどを含む全ての形式のソフトウェアを含む機能を行う全ての方法を含むと意図されており、前記機能を行うように前記ソフトウェアを実行するための適切な回路と結合される。このような特許請求の範囲により定義される本発明は、多様に挙げられた手段によって提供される機能が結合され、請求項が要求する方式と結合されるため、前記機能が提供可能な如何なる手段も、本明細書から把握されるものと均等であると理解されねばならない。
【００２１】
上述の目的、特徴及び利点は、添付図面に関する以下の詳細な説明によりさらに明らかになる。これにより、本発明が属する技術分野において通常の知識を有する者であれば、本発明の技術的思想を容易に実施することができる。また、本発明を説明するにあたり、かかる公知技術についての具体的な説明が本発明の要旨を不明瞭にする可能性があると判断される場合、その詳細な説明を省略する。
【００２２】
以下、添付図面を参照して本発明の様々な実施形態を詳細に説明する。
【００２３】
図１は本発明の一実施形態による電子装置を示したブロック図である。図１を参照すれば、電子装置１００は、ディスプレイ部１１０、入力部１２０、制御部１３０、格納部１４０、通信部１５０、撮影部１６０の全部または一部を含む。
【００２４】
ここで、電子装置１００は、カメラ機能を備えたデジタルカメラ、スマートフォン、タブレット型コンピュータ、ノート型パソコン、ＰＤＡ（ｐｅｒｓｏｎａｌ  ｄｉｇｉｔａｌ  ａｓｓｉｓｔａｎｔ）、ＰＭＰ（ｐｏｒｔａｂｌｅ  ｍｕｌｔｉｍｅｄｉａ  ｐｌａｙｅｒ）、デジタルＴＶ、スマートグラス、プロジェクトグラスなどの様々な装置として具現されることができる。
【００２５】
ディスプレイ部１１０は、画面を表示する機能を担う。特に、本発明の様々な実施形態を具現するためのアプリケーション（例えば、写し描きアプリケーション）が実行されると、ディスプレイ部１１０は、図３から図９に示す画面を表示することができる。
【００２６】
ここで、ディスプレイ部１１０は、液晶ディスプレイ（ｌｉｑｕｉｄ  ｃｒｙｓｔａｌ  ｄｉｓｐｌａｙ）、薄膜トランジスタ液晶ディスプレイ（ｔｈｉｎ  ｆｉｌｍ  ｔｒａｎｓｉｓｔｏｒ‐ｌｉｑｕｉｄ  ｃｒｙｓｔａｌ  ｄｉｓｐｌａｙ）、有機発光ダイオード（ｏｒｇａｎｉｃ  ｌｉｇｈｔ‐ｅｍｉｔｔｉｎｇ  ｄｉｏｄｅ）、フレキシブルディスプレイ（ｆｌｅｘｉｂｌｅ  ｄｉｓｐｌａｙ）、３次元ディスプレイ（３Ｄ  ｄｉｓｐｌａｙ）、透明ディスプレイ、ＨＵＤ（Ｈｅａｄ  Ｕｐ  Ｄｉｓｐｌａｙ）、ＨＭＤ（Ｈｅａｄ  Ｍｏｕｎｔｅｄ  Ｄｉｓｐｌａｙ）、Ｐｒｉｓｍ  Ｐｒｏｊｅｃｔ  Ｄｉｓｐｌａｙの少なくとも一つとして具現されることができる。
【００２７】
入力部１２０は、電子装置１００を操作するユーザの入力を受信する。
【００２８】
ここで、入力部１２０は、様々なボタンの形態、ディスプレイ部１１０に対するタッチ入力を受信するタッチセンサ、ディスプレイ部１１０の表面に直接接続せずに接近する動きを受信する近接センサ、ユーザの音声入力を受信するマイクロフォンの少なくとも一つを用いて具現されることができる。但し、これに限定されるものではなく、ユーザの入力を受信することができる如何なる形態に具現されてもよい。
【００２９】
格納部１４０は、電子装置１００の動作に必要な様々なデータ及びアプリケーションを格納する機能を担う。特に、格納部１４０は、本発明の様々な実施形態を具現するための「写し描きアプリケーション」を格納することができる。
【００３０】
ここで、格納部１４０は、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカードなどの内蔵形態の格納素子だけでなく、ＵＳＢメモリなどの着脱可能な形態の格納素子として具現されてもよい。
【００３１】
通信部１５０は、電子装置１００と外部装置との通信を可能とする。ここで、通信部１５０は、ローカルエリアネットワーク（ＬＡＮ；Ｌｏｃａｌ  Ａｒｅａ  Ｎｅｔｗｏｒｋ）及びインターネット網を介して無線または有線方式で接続される形態、ＵＳＢ（Ｕｎｉｖｅｒｓａｌ  Ｓｅｒｉａｌ  Ｂｕｓ）ポートを介して接続される形態、３Ｇ、４Ｇなどの移動通信網を介して接続される形態、ＮＦＣ（Ｎｅａｒ  Ｆｉｅｌｄ  Ｃｏｍｍｕｎｉｃａｔｉｏｎ）、ＲＦＩＤ（Ｒａｄｉｏ  Ｆｒｅｑｕｅｎｃｙ  Ｉｄｅｎｔｉｆｉｃａｔｉｏｎ）、Ｗｉ‐Ｆｉなどの近距離無線通信方式により接続される形態が可能である。
【００３２】
撮影部１６０は、被写体の撮影によりイメージを生成することができる。特に、撮影部１６０は、被写体のライブビュー撮影によりイメージを生成することができる。ここで、ライブビュー撮影とは、電子装置１００で撮影されたイメージをリアルタイムで表示するディスプレイ部１１０をユーザが確認しながら撮影を行うことを意味する。一方、撮影部１６０は、生成された撮影イメージを制御部１３０に提供することができる。
【００３３】
制御部１３０は、電子装置１００の全般的な動作を制御する。特に、制御部１３０は、実行された「写し描きアプリケーション」と連携して、ディスプレイ部１１０、入力部１２０、 格納部１４０、通信部１５０、撮影部１６０の全部または一部を制御することができる。
【００３４】
具体的に、複数の描画モードのうち一つの描画モードが選択されると、制御部１３０は、選択された描画モードに対応する動作を行うように電子装置１００の構成の全般的な動作を制御することができる。ここで、描画モードは、「キャラクター描画モード」、「写真撮影後写し描きモード」、「ギャラリー写真描画モード」、「動物／植物描画モード」、「交通手段描画モード」、「人物画描画モード」、「精密描写モード」の少なくとも一つを含むことができる。ここで、「写真撮影後写し描きモード」が選択されると、撮影部１６０が駆動され、撮影部１６０で撮影により生成された撮影イメージに対するイメージ処理が行われることができる。また、それ以外の描画モードは、予め格納されているイメージのうち特定イメージが選択された後にイメージ処理が行われることができる。また、「精密描写モード」は、撮影後または特定イメージの選択後にイメージ処理が行われることができる。
【００３５】
すなわち、上述の描画モードが選択された後、ユーザが写し描きを所望するイメージが選択されることができる。ここで、ユーザが写し描きを所望するイメージは、格納部１４０に予め格納されているイメージであってもよく、または撮影部１６０で撮影により生成されたイメージであってもよく、または通信部１５０により外部装置から受信されたイメージであってもよい。
【００３６】
一方、上述の動作により、電子装置１００のユーザが写し描きを所望するイメージが選択されると、制御部１３０は、選択されたイメージに対して、輪郭線を有し透明度が調節された第１のイメージを生成することができる。
【００３７】
例えば、第１のイメージは、選択してもらったイメージにおける輪郭線を抽出して生成された第２のイメージと、選択してもらったイメージにおける透明度を調節して生成された第３のイメージと、を結合して生成されることができる。すなわち、第１のイメージは、ユーザに選択してもらったイメージの輪郭線と透明度が調節されたイメージとが完璧に重なって見えるイメージであることができる。
【００３８】
この際、制御部１３０は、選択してもらったイメージにおける輪郭線を抽出した第２のイメージを生成することができる。例えば、制御部１３０は、選択してもらったイメージ内において、ピクセル値が予め設定された大きさ以上に変わる領域を抽出することで輪郭線を抽出することができる。但し、これは一実施形態にすぎず、公知の多様な輪郭線抽出アルゴリズムを用いて、選択してもらったイメージに含まれた多様なオブジェクトに対する輪郭線を抽出し、抽出された輪郭線のみで構成された第２のイメージを生成することができる。そして、制御部１３０は、選択してもらったイメージにおける透明度を調節した第３のイメージを生成することができる。例えば、透明度のレベルを操作するユーザの入力が別に受信されていない場合、制御部１３０は、選択してもらったイメージのＲＧＢＡ値のうち、デフォルト透明度レベルに対応するＡ（ＡＬＰＨＡ）値を適用することで第３のイメージを生成することができる。ここで、デフォルト透明度レベルは、複数の描画モードに応じて、互いに異なるレベルにデフォルト設定されることができる。
【００３９】
または、透明度レベルを操作するユーザの入力が受信された場合、制御部１３０は、選択してもらったイメージのＲＧＢＡ値のうち、選択してもらった透明度レベルに対応するＡ（ＡＬＰＨＡ）値を適用することで第３のイメージを生成することができる。
【００４０】
ここで、透明度レベルを操作するユーザの入力は、前記第１のイメージを生成するステップの前、例えば、ユーザが絵を選択する過程で行われることができる。または、第１のイメージを生成するステップの後、例えば、第１のイメージが生成されてディスプレイ部１１０に表示される過程で行われてもよい。
【００４１】
また、生成された第２のイメージ及び第３のイメージのサイズは、同一であることができるが、これに限定されるものではない。
【００４２】
一方、制御部１３０は、生成された第２、第３のイメージを結合して第１のイメージを生成することができる。ここで、生成された第１のイメージは、選択してもらったイメージの輪郭のみを含む第２のイメージと、選択してもらった原イメージの色及び明暗を調節することで透明度が調節された第３のイメージと、を結合した形態のイメージであることができる。
【００４３】
一方、上述の輪郭線の透明度も調節されることができる。例えば、透明度レベルを操作するユーザの入力が別に受信されていない場合、制御部１３０は、デフォルト透明度レベルに対応するように輪郭線を生成することができる。または、透明度レベルを操作するユーザの入力が受信された場合、制御部１３０は、選択してもらった透明度レベルに対応するように輪郭線を生成することができる。
【００４４】
また、上述のように、ＲＧＢＡ値のうちＡ（ＡＬＰＨＡ）値を調節することで透明度を調節することを説明したが、これは一実施形態にすぎず、透明度を調節するための様々な方法が用いられることができる。
【００４５】
また、上述のように、第１のイメージが、生成された第２及び第３のイメージの結合により生成される場合を例として説明したが、これに限定されるものではない。他の例によれば、第１のイメージは、第２、第３のイメージを生成するステップなしに、選択してもらったイメージに対するイメージ処理のみで生成されることができる。すなわち、他の例によれば、制御部１３０は、選択されたイメージに対する輪郭線の抽出／生成及び透明度の調節により、前記第１のイメージを生成することができる。一方、制御部１３０は、生成された第１のイメージと、撮影部１６０のライブビュー撮影により生成された撮影イメージと、を重ねて表示するように、ディスプレイ部１１０を制御することができる。具体的に、制御部１３０は、撮影部１６０のライブビュー撮影により生成された撮影イメージを下位レイヤーに配置し、生成された第１のイメージを上位レイヤーに配置してともに表示するようにディスプレイ部１１０を制御することができる。ここで、ディスプレイ部１１０の表面が向く方向であるＺ軸の（＋）方向を基準として、より上に配置されたレイヤーを上位レイヤー、上位レイヤーより下に配置されたレイヤーを下位レイヤーと定義する。
【００４６】
但し、これは本発明の一実施形態にすぎず、他の実施形態によれば、制御部１３０は、撮影部１６０のライブビュー撮影により生成された撮影イメージを上位レイヤーに配置し、生成された第１のイメージを下位レイヤーに配置してともに表示するように、ディスプレイ部１１０を制御することができる。
【００４７】
これにより、「撮影イメージ」と「輪郭線を有し透明度が調節された第１のイメージ」とが互いに重なっている描画画面がディスプレイ部１１０に表示されることができる。
【００４８】
一方、本発明の一実施形態によれば、ユーザは、透明度調節対象、透明度レベル、ライブビュー撮影により生成された撮影イメージと重なって表示される第１のイメージのサイズ、自動焦点ＯＮ／ＯＦＦを設定することができる。ここで、透明度調節対象は、表示された第１のイメージに含まれた輪郭線または第１のイメージに含まれた輪郭線を除いた領域を含むことができる。
【００４９】
例えば、ディスプレイ部１１０に表示された描画画面は、透明度調節対象を選択してもらうための第１の領域、透明度レベルを選択してもらうための第２の領域、撮影に対する自動焦点ＯＮ／ＯＦＦ制御を選択してもらうための第３の領域を含むことができる。
【００５０】
もし、第１の領域で第１のイメージに含まれた輪郭線を除いた領域が選択され、第２の領域で透明度レベルが調節されると、制御部１３０は、選択してもらった透明度レベルに基づいて第３のイメージを生成する。これにより、ディスプレイ部１１０は、「撮影イメージ」と「選択してもらった透明度レベルに対応する透明度を有する第１のイメージ」とをともに表示することができる。すなわち、第３のイメージのみが、選択してもらった透明度レベルの影響を受け、第２のイメージは、選択してもらった透明度レベルの影響を受けないことができる。
【００５１】
もし、第１の領域で第１のイメージに含まれた輪郭線が選択され、第２の領域で透明度レベルが調節されると、制御部１３０は、選択してもらった透明度レベルに基づいて第２のイメージを生成する。これにより、ディスプレイ部１１０は、「撮影イメージ」と「選択してもらった透明度レベルに対応する輪郭線透明度を有する第１のイメージ」とをともに表示することができる。すなわち、第２のイメージのみが、選択してもらった透明度レベルの影響を受け、第３のイメージは、選択してもらった透明度レベルの影響を受けないことができる。
【００５２】
一方、撮影部のライブビュー撮影による撮影イメージと第１のイメージとがともに表示されている状態で、表示された画面に２本の指でピンチイン（Ｐｉｎｃｈ‐ｉｎ）またはピンチアウト（Ｐｉｎｃｈ‐ｏｕｔ）操作を行うユーザの入力が受信されると、制御部１３０は第１のイメージのサイズを拡大または縮小して表示するようにディスプレイ部１１０を制御することができる。この際、第１のイメージのサイズのみが調節されることもでき、または第１のイメージ及び撮影イメージがともに拡大または縮小されることもできる。
【００５３】
一方、撮影イメージ及び第１のイメージのサイズは同一であることができる。但し、これに限定されるものではない。また、第１のイメージ及び撮影イメージは、ディスプレイ部１１０の全体画面に重なって表示されることができる。
【００５４】
一方、上述の「精密描写モード」が選択されると、制御部１３０は、生成された第１のイメージを複数の領域に区分して、電子装置のライブビュー撮影に対応する撮影イメージとともに表示するようにディスプレイ部１１０を制御することができる。この際、複数の領域のうち一領域が選択されると、制御部１３０は、選択された一領域を拡大して、電子装置のライブビュー撮影に対応する撮影イメージとともに表示するようにディスプレイ部１１０を制御することができる。また、制御部１３０は、生成された第１のイメージを格納するように格納部１４０を制御することができる。ここで、制御部１３０は、イメージ処理対象の原イメージが格納されているフォルダとは別のフォルダに、生成された第１のイメージを格納するように格納部１４０を制御することができる。
【００５５】
また、生成された第１のイメージに対するユーザの交換／取り引き命令が入力部１２０を介して受信されると、制御部１３０は、生成された第１のイメージをイメージ交換／取り引きサーバに送信するように通信部１５０を制御することができる。
【００５６】
例えば、イメージ交換／取り引きサーバは、イメージを交換／取り引きするためのウェブ、モバイルウェブ、またはスマートフォン用ウェブなどを提供することができる。このようなイメージを交換／取り引きするためのウェブ、モバイルウェブ、またはアプリケーションなどを介して、供給者は、原イメージを無料／有料で提供して掲示することができ、ユーザは、本発明を用いたアプリケーションが設けられた機器で自分が写し描きたいイメージを直接ダウンロードすることで、第１のイメージを生成して写し描くことができる。このようなウェブまたはモバイルウェブでは、供給者と需要者が相互作用して、写し描くためのイメージを自由に交換／取り引きすることができる。例えば、絵の得意な人が自分の絵をウェブまたはモバイルウェブにアップロードすると、その絵が気に入って写し描きたい人はウェブまたはモバイルウェブからダウンロードすることができる。
【００５７】
このような動作のために、本発明の様々な実施形態を具現するためのアプリケーションが設けられていなければならない。
【００５８】
ユーザは、このような全ての動作を行うために、基本的に、サイトに会員登録し、本発明の様々な実施形態を具現するためのアプリケーションが設けられた電子装置を備えなければならない。
【００５９】
また、絵の供給者は、本発明の様々な実施形態を具現するためのアプリケーションが設けられた電子装置を持っていなくてもよく、有料販売登録の際にはサイトに本人認証手続き（本人通帳の確認など）を行わなければならず、無料販売登録の際にはその手続きが不要である。有料販売登録の際には、供給者が商業的権利を持つことになるため、保護のための仕掛けとして、ウェブ／モバイルウェブ上における半透明印刻マーク、ホームページ内のイメージコピー防止機能としてマウス右クリック及びコントロールキー・シフトキー禁止機能を備えることができる。また、有料販売登録して決済する際に、クレジットカードまたは携帯電話認証による少額決済が可能であり、ウェブ／モバイルウェブを提供するイメージ交換／取り引きサーバ主は、所定の手数料を自動で徴収した後、販売代金を供給者の口座に送金することができる。このような包括的な諸事項について、約款と手数料案内にお知らせが含まれることができる。別の管理者ページで、ウェブ／モバイルウェブのカテゴリ調整及びコメント、知らせ機能などの上記の全ての機能を制御することができる。
【００６０】
一方、ユーザは、例えば、写し描くためのイメージをダウンするスマートフォンの番号を入力した後、前記イメージをダウンロードすることができる。
【００６１】
このような本発明の様々な実施形態によれば、ユーザは、表示された画面を見ながら紙などの媒体に表示された絵を容易に写し描くことができる。すなわち、ユーザは、透明フィルムや油紙をあてて絵を写し描くことと同様の効果を、電子装置により得ることができる。
【００６２】
図２は、図１による電子装置を具体的に示したブロック図である。図２を参照すれば、電子装置１００は、ディスプレイ部１１０、入力部１２０、制御部１３０、格納部１４０、通信部１５０、撮影部１６０、認識部１７０、スピーカ１８０、外部入力ポート１９０‐１〜１９０‐ｎ、電源部１９５の全部または一部を含む。以下では、図１で既に説明された構成についての重複説明は省略し、図２を参照して本発明の一実施形態による電子装置をより具体的に説明する。
【００６３】
入力部１２０は、電子装置１００に対するユーザの操作を受信する。ここで、入力部１２０は、タッチセンサ１２１、地磁気センサ１２２、加速度センサ１２３、ベンドセンサ１２４、圧力センサ１２５、近接センサ１２６、グリップセンサ１２７などの様々な類型のセンサの全部または一部を含むことができる。
【００６４】
タッチセンサ１２１は、静電式または感圧式で具現されることができる。静電式は、ディスプレイ部１１０の表面にコートされた誘電体を用いて、ユーザの身体の一部がディスプレイ部１１０の表面をタッチしたときにユーザの人体に励起される微細電気を検知してタッチ座標を算出する方式である。感圧式は、二つの電極板を含み、ユーザが画面をタッチすると、タッチ地点で上下電極板の接触により流れる電流を検知してタッチ座標を算出する方式である。以上のようにタッチセンサ１２１は様々な形態で具現されることができる。
【００６５】
地磁気センサ１２２は、電子装置１００の回転状態及び移動方向などを検知するためのセンサであり、加速度センサ１２３は、電子装置１００の傾斜程度を検知するためのセンサである。このような地磁気センサ１２２、加速度センサ１２３は、電子装置１００の回転状態または傾斜状態などを検出するための用途に用いられてもよい。
【００６６】
ベンドセンサ１２４は、電子装置１００がフレキシブルディスプレイ装置として具現される場合に必要なセンサであって、電子装置１００の曲げ状態を検知することができる。
【００６７】
圧力センサ１２５は、ユーザがタッチまたは曲げ操作を行うときに、電子装置１００に加えられる圧力の大きさを検知して制御部１３０に提供する。圧力センサ１２５は、ディスプレイ部１１０に内蔵されて圧力の大きさに対応する電気信号を出力する圧電フィルム（ｐｉｅｚｏ  ｆｉｌｍ）を含むことができる。図２では、圧力センサ１２５がタッチセンサ１２１と別のものであると図示したが、タッチセンサ１２１が感圧式タッチセンサとして具現された場合、その感圧式タッチセンサが圧力センサ１２５の機能をともに担うこともできる。
【００６８】
近接センサ１２６は、ディスプレイの表面に直接接触されずに接近する動きを検知するためのセンサである。近接センサ１２６は、高周波磁界を形成し、物体が接近する時に変化する磁界特性によって誘導された電流を検知する高周波発振型、磁石を用いる磁気型、対象体の接近により変化する静電容量を検知する静電容量型などの様々な形態のセンサとして具現されることができる。
【００６９】
グリップセンサ１２７は、圧力センサ１２５と別に電子装置１００の枠や取っ手部分に配置され、ユーザのグリップ（ｇｒｉｐ）を検知するセンサである。グリップセンサ１２７は圧力センサやタッチセンサとして具現されることができる。
【００７０】
制御部１３０は、入力部１２０で検知された各種検知信号を分析してユーザの意図を把握し、その意図に応じた動作を行う。制御部１３０で行われる動作の一例として、外部機器との通信により得られたデータまたは格納部１４０に格納されたデータを処理し、ディスプレイ部１１０及びスピーカ１８０などを介して出力する動作を行うことができる。この際、制御部１３０は、通信部１５０を用いて外部機器と通信を行うことができる。
【００７１】
通信部１５０は、様々な類型の通信方式によって様々な類型の外部機器との通信を行う構成である。通信部１５０は、放送受信モジュール１５１、近距離無線通信モジュール１５２、ＧＰＳモジュール１５３、無線通信モジュール１５４などの様々な通信モジュールの全部または一部を含むことができる。ここで、放送受信モジュール１５１は、地上波放送信号を受信するためのアンテナ、復調器、等化器などを含む地上波放送受信モジュール（不図示）、ＤＭＢ放送信号を受信して処理するためのＤＭＢモジュールなどを含むことができる。近距離無線通信モジュール１５２とは、ＮＦＣ（Ｎｅａｒ  Ｆｉｅｌｄ  Ｃｏｍｍｕｎｉｃａｔｉｏｎ）やブルートゥース、ジグビー方式などの近距離無線通信方式により、近距離に位置する外部機器との通信を行うためのモジュールである。ＧＰＳモジュール１５３とは、ＧＰＳ衛星からＧＰＳ信号を受信し、電子装置１００の現在位置を検出するためのモジュールである。無線通信モジュール１５４とは、ＷｉＦｉ、ＩＥＥＥなどの無線通信プロトコルに従って外部ネットワークに連結されて通信を行うモジュールである。この他にも、通信モジュール１５２は、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｏｕｔｉｏｎ）などの様々な移動通信規格に従って移動通信網に接続して通信を行う移動通信モジュールをさらに含んでもよい。
【００７２】
制御部１３０は、上述の通信部１５０の各構成要素のうち、ユーザが意図した動作を行うに必要な構成要素を選択的に活性化させることで、動作を行うことができる。
【００７３】
一方、制御部１３０は、曲げ操作やタッチ操作の他に、音声入力や動き入力を認識し、その入力に対応する動作を行うこともできる。この際、制御部１３０は認識部１７０を活性化させることができる。
【００７４】
音声認識部１７０は、マイク（不図示）などの音声取得手段を用いてユーザの音声や外部音響を収集した後、制御部１３０に伝達する。制御部１３０は、音声制御モードで動作する場合、ユーザの音声と予め設定された音声コマンドとが一致すると、ユーザの音声に対応するタスク（ｔａｓｋ）を行うことができる。音声を用いて制御可能なタスクとしては、音量調節、チャンネル選択、チャンネルザッピング、表示属性調節、再生、一時停止、巻き戻し、早送り、アプリケーション実行、メニュー選択、装置ターンオン・ターンオフなどの様々なタスクが挙げられる。
【００７５】
一方、動き認識部１７０は、カメラなどのイメージ撮像手段（不図示）を用いてユーザのイメージを得た後、制御部１３０に提供する。動き制御モードで動作する場合、制御部１３０は、ユーザのイメージを分析し、ユーザが予め設定された動きコマンドに対応する動きジェスチャをしたと判断されると、その動きジェスチャに対応する動作を行う。例えば、チャンネルザッピング、装置ターンオン・ターンオフ、一時停止、再生、停止、巻き戻し、早送り、消音などの様々なタスクが動きにより制御されることができる。音声で制御可能なタスク、動きで制御可能なタスクなどについての上述の例は単なる例に過ぎず、これに限定されない。
【００７６】
その他に、外部入力ポート１、２〜ｎ（１９０‐１〜１９０‐ｎ）は、それぞれ様々な類型の外部機器と連結されて、各種データやプログラム、制御命令などを受信することができる。具体的には、ＵＳＢポート、ヘッドセットポート、マウスポート、ＬＡＮポートなどを含むことができる。
【００７７】
電源部１９５は、電子装置１００の各構成要素に電源を供給する構成要素である。
【００７８】
以下では、図３から図９を参照して、本発明の一実施形態による電子装置の制御方法のシナリオをＵＩ（Ｕｓｅｒ  Ｉｎｔｅｒｆａｃｅ）画面に基づいて説明する。
【００７９】
アプリケーションが実行されると、先ず、ディスプレイ部１１０は図３のような初期駆動画面３０１を表示することができる。これにより、ユーザは、実行されたアプリケーションが絵を写し描くことができるアプリケーションであることを直観的に認知することができる。
【００８０】
そして、ディスプレイ部１１０は、図４（ａ）のように使用目的を示すヘルプ画面４０１を表示することができる。そして、次の画面に移動するための矢印が選択されると、ディスプレイ部１１０は、図４（ｂ）のように使用方法を示すヘルプ画面４０２を表示することができる。ここで、使用方法を示すヘルプ画面４０２は、文と視覚的資料（動画）を用いて、プログラムをより便利でかつ有用に使用できる方法を表示することができる。例えば、「使い方動画メニュー４０３」が選択されると、使用方法を説明するための動画が直ちに再生されることができる。（「戻る」ボタンを押すとアプリケーションに自動で戻る）
【００８１】
一方、「絵を描きに行くメニュー４０４」が選択されると、複数の描画モードを選択してもらうための画面に進むことができる。
【００８２】
このような、図４（ａ）、（ｂ）のようなヘルプ画面は、「今後このウィンドウを表示しない」をクリックすると、今後アプリケーションを実行したときには表示されず、直ちに複数の描画モードを選択してもらう画面に進むことができる。
【００８３】
その後、ディスプレイ部１１０は、図５のような複数の描画モードを選択してもらう画面５０１を表示することができる。ここで、複数の描画モードを選択してもらう画面は、ユーザが選択可能な複数の描画モードを含むことができる。描画モードは、「キャラクター描画モード５０２」、「写真撮影後写し描きモード５０５」、「ギャラリー写真描画モード５０３」、「動物／植物描画モード５０６」、「交通手段描画モード５０４」、「人物画描画モード５０７」、「精密描写モード」の少なくとも一つを含むことができる。
【００８４】
「キャラクター描画モード５０２」が選択されると、著作権のある各種キャラクターイメージを選択する画面、選択されたキャラクターイメージを描くための画面に進むことができる。例えば、図６のように、描きたいキャラクター６０２、６０３、６０４が選択できる画面６０１を左右スライドショー形態で表示することができる。
【００８５】
「写真撮影後写し描きモード５０５」が選択されると、撮影部１６０を駆動させて写真を撮影した後、その撮影イメージを描くための画面に進むことができる。
【００８６】
「ギャラリー写真描画モード５０３」が選択されると、ギャラリー内のイメージを選択する画面、選択されたイメージを描くための画面に進むことができる。
【００８７】
「動物／植物描画モード５０６」が選択されると、動物／植物イメージを選択する画面、選択されたイメージを描くための画面に進むことができる。
【００８８】
「交通手段描画モード５０４」が選択されると、交通手段イメージを選択する画面、選択されたイメージを描くための画面に進むことができる。
【００８９】
「人物画描画モード５０７」が選択されると、人物画イメージを選択する画面、選択されたイメージを描くための画面に進むことができる。
【００９０】
「精密描写モード」が選択されると、精密描写するイメージを選択する画面、選択されたイメージを描くための画面に進むことができる。
【００９１】
ここで、描くための画面は、「ライブビュー撮影に対応する撮影イメージ」と「選択されたイメージに対する、輪郭線を有し透明度が調節された第１のイメージ」とが互いに重なってディスプレイ部１１０に表示される画面であることができる。このような描画画面について、図７を参照して具体的に説明する。
【００９２】
撮影部１６０が白紙をライブビュー撮影していると仮定すると、ディスプレイ部１１０は、図７（ａ）、（ｂ）のような描画画面７０３を表示することができる。すなわち、描画画面は、「白紙の撮影に対応する撮影イメージ７０４」と「選択されたイメージに対する、輪郭線を有し透明度が調節された第１のイメージ７０５、７０６」とをともに表示することができる。
【００９３】
一方、描画画面は、透明度調節対象を選択してもらうための第１の領域７０７、透明度レベルを選択してもらうための第２の領域７０２、撮影に対する自動焦点ＯＮ／ＯＦＦ制御を選択してもらうための第３の領域７０１を含むことができる。ここで、第１の領域７０７は、透明度調節対象として輪郭線を選択してもらうための領域７０７‐１、透明度調節対象として輪郭線を除いた領域を選択してもらうための領域７０７‐２を含むことができる。
【００９４】
もし、第１の領域７０７で第１のイメージに含まれた輪郭線を除いた領域が選択され、第２の領域７０２で透明度レベルが選択されると、制御部１３０は、選択してもらった透明度レベルに基づいて第３のイメージを生成する。これにより、図７（ａ）、（ｂ）のように、ディスプレイ部１１０は、「撮影イメージ７０４」と「輪郭線を有し、選択してもらった透明度レベルに対応する透明度を有する第１のイメージ７０５、７０６」とをともに表示することができる。
【００９５】
例えば、図７（ｂ）のように、透明度レベルが０％であると、輪郭線のみが鮮明に残っている第１のイメージ７０６を、撮影イメージ７０４とともにディスプレイ部１１０に表示することができる。
【００９６】
もし、図７（ａ）のように、透明度レベルが１００％であると、「輪郭線」と「透明度が調節されていない原イメージの色及び明暗」を有する第１のイメージ７０５を、撮影イメージ７０４とともにディスプレイ部１１０に表示することができる。
【００９７】
一方、図７には図示されていないが、もし透明度レベルが５０％であると、輪郭線が鮮明な状態で、原イメージのみが５０％の透明度を有する第１のイメージを撮影イメージとともにディスプレイ部１１０に表示することができる。
【００９８】
一方、状況に応じては、撮影部１６０の自動焦点機能が障害物となり得る。すなわち、ユーザは自動焦点機能が活性化している状態で画面を見ることになるが、自動焦点機能により、焦点が紙などの媒体に絵を描いている手やペン等に合わせられることになる場合が発生し得る。この場合、自動焦点機能が、ユーザが紙などの媒体に絵を描くことを邪魔する要因となり得るため、自動焦点ＯＮ／ＯＦＦ制御をユーザに選択してもらうことで、その要因を防止することができる。
【００９９】
一方、上述の「精密描写モード」が選択されると、図８（ａ）、（ｂ）のように、ディスプレイ部１１０は、第１のイメージ８０１を複数の領域に区画して、電子装置のライブビュー撮影に対応する撮影イメージ８０４とともに表示することができる。もし、図８（ｂ）のように、複数の領域のうち一領域８０５が選択されると、ディスプレイ部１１０は、図８（ｃ）のように、選択された一領域８０５を拡大し、拡大された領域８０６を、電子装置のライブビュー撮影に対応する撮影イメージ８０４と重ねて表示することができる。これにより、ユーザは、写し描くためのイメージの一領域を紙などの媒体にさらに詳細に写し描くことができる。
【０１００】
一方、図８では、上述の「精密描写モード」が選択されると、選択された領域を拡大して表示すると説明したが、これに限定されるものではない。他の例として、撮影部のライブビュー撮影による撮影イメージと第１のイメージとがともに表示されている状態で、ユーザは、表示された画面に２本の指を使ってピンチイン（Ｐｉｎｃｈ‐ｉｎ）またはピンチアウト（Ｐｉｎｃｈ‐ｏｕｔ）入力を行うことができる。この場合、第１のイメージが拡大または縮小されることができる。または、第１のイメージ及び撮影イメージがともに拡大または縮小されることができる。
【０１０１】
図９は本発明の一実施形態による電子装置を用いて絵を写し描く方法の一例を示した図面である。図９を参照すれば、電子装置１００のディスプレイ部１１０は、「絵を描いている手９０２」及び「ユーザがディスプレイ部１１０の画面を見ながら写し描いた絵が描かれた紙９０３」のライブビュー撮影により撮影された「撮影イメージ」と「輪郭線を有し透明度が調節された第１のイメージ」とが互いに重なっている描画画面を表示することができる。この際、ユーザの写し描く姿を高精度に撮影するために、電子装置１００を固定装置９０１で固定して描くことができる。
【０１０２】
これにより、ユーザは、ディスプレイ部１１０に表示された画面を見ながら紙９０３のような媒体に絵を容易に写し描くことができる。すなわち、ユーザは、透明フィルムや油紙をあてて絵を写し描くことと同様の効果を電子装置により得ることができる。
【０１０３】
図１０は本発明の一実施形態による電子装置が着用型電子装置として具現された一例を示した図面である。図示された着用型電子装置２００は、ユーザの目に近接して位置するようにメガネの形態に製作されることができ、図１及び図２で説明した機能を担う機能ブロック構成の全部または一部を含むことができる。以下では、図１及び図２で説明した内容についての具体的な説明は省略し、ユーザの目に近接して着用されるという、着用型電子装置の形態による特徴を本発明の様々な実施形態に適用して具体的に説明する。ここで、着用型電子装置２００は、ユーザの目に近接して着用されるスマートグラス、プロジェクトグラスなどの様々な装置として具現されることができる。
【０１０４】
着用型電子装置２００の前面視における形状を図示した図１０を参照すれば、本発明の一実施形態による着用型電子装置２００は、左右のレンズ枠１０、１１、枠連結部２０、左右のツル３０、３１、及び左右のレンズ５０、５１を含んで構成されることができる。
【０１０５】
一方、写真または動画の撮影が可能な撮影部２６０が着用型電子装置２００の前面に取り付けられることができ、例えば、図１０に図示されたように、枠連結部２０の前面に撮影部２６０が配置されることができる。
【０１０６】
これにより、ユーザは、メガネ形態の着用型電子装置２００を着用して移動中に、撮影部２６０を用いて写真または動画を撮影して格納または共有することができる。
【０１０７】
この場合、撮影部２６０により撮影される映像の視点が、ユーザの視覚により認知される場面の視点と非常に類似するという利点がある。
【０１０８】
また、ユーザの手動作などのジェスチャ（ｇｅｓｔｕｒｅ）が撮影部２６０により認識され、前記認識されたジェスチャによって着用型電子装置２００の動作または機能が制御されるようにすることができる。
【０１０９】
撮影部２６０が取り付けられる位置または個数は必要に応じて変更可能であり、赤外線カメラなどの特殊目的のカメラが用いられてもよい。
【０１１０】
また、左右のツル３０、３１のそれぞれにも、特定機能を担うためのユニットが配置されることができる。
【０１１１】
右側のツル（ｒｉｇｈｔ  ｓｉｄｅ‐ａｒｍ）３１には、着用型電子装置２００の機能を制御するためのユーザの入力を受信する入力部２２０が取り付けられることができる。
【０１１２】
例えば、画面上のカーソル、メニュー項目などのオブジェクトを選択または移動させるためのトラックボール（ｔｒａｃｋ  ｂａｌｌ）２２１やタッチパッド（ｔｏｕｃｈ  ｐａｄ）２２２が右側のツル３１に配置されることができる。
【０１１３】
着用型電子装置２００に備えられる入力部２２０は、トラックボール２２１とタッチパッド２２２に限定されず、キーパッド（ｋｅｙ  ｐａｄ）、ドームスイッチ（ｄｏｍｅ  ｓｗｉｔｃｈ）、ジョグホイール、ジョグスイッチなどの様々な入力装置が備えられることができる。
【０１１４】
一方、左側のツル（ｌｅｆｔ  ｓｉｄｅ‐ａｒｍ）３０には、マイク２２３が取り付けられることができ、マイク２２３により認識されたユーザの音声を用いて、着用型電子装置２００の動作または機能が制御されることができる。
【０１１５】
また、左側のツル３０にはセンシング部２２４が配置され、着用型電子装置２００の位置、ユーザ接触有無、方位、加速／減速などのような現在状態や、ユーザに係る情報などを検知して、着用型電子装置２００の動作を制御するためのセンシング信号を発生させることができる。
【０１１６】
例えば、センシング部２２４は、ジャイロセンサ（ｇｙｒｏｓｃｏｐｅ）や加速度センサ（ａｃｃｅｌｅｒｏｍｅｔｅｒ）などのような動作センサ（ｍｏｔｉｏｎ  ｄｅｔｅｃｔｏｒ）、ＧＰＳ装置のような位置センサ、磁力センサ（ｍａｇｎｅｔｏｍｅｔｅｒ）、経緯儀（ｔｈｅｏｄｏｌｉｔｅ）のような方向センサ、温度センサ、湿度センサ、風向／風量センサなどを含むことができるが、本発明はこれに限定されず、上述のセンサ以外にも、様々な情報を検出することができるセンサをさらに含むことができる。
【０１１７】
例えば、センシング部２２４は、赤外線センサをさらに備えることができる。前記赤外線センサは、赤外線を放出する発光部と赤外線を受信する受光部とを含んで構成され、赤外線通信や近接度測定などに用いられることができる。
【０１１８】
本発明の一実施形態による着用型電子装置２００は、外部装置との通信のための通信部２５０を含むことができる。
【０１１９】
例えば、通信部２５０は、放送受信モジュール、移動通信モジュール、無線インターネットモジュール、及び近距離通信モジュールなどを含むことができる。
【０１２０】
また、本発明の一実施形態による着用型電子装置２００は、映像を表示してユーザに視覚的情報を伝達するためのディスプレイ装置を含むことができる。
【０１２１】
ユーザが、前記ディスプレイ装置により表示される情報とともに、目の前に広がる前景（ｆｒｏｎｔ  ｖｉｅｗ）を見ることができるように、前記ディスプレイ装置は透明型または光透過型のユニットを含んで構成されることができる。
【０１２２】
例えば、図１０に図示された左右のレンズ５０、５１の少なくとも一つが上記のような透明ディスプレイの機能を担うようにすることで、ユーザは、レンズに形成されたテキストまたはイメージなどを視覚的に認知するとともに前景を見ることができる。
【０１２３】
そのために、着用型電子装置２００は、ＨＭＤ（Ｈｅａｄ  Ｍｏｕｎｔｅｄ  Ｄｉｓｐｌａｙ）、ＨＵＤ（Ｈｅａｄ  Ｕｐ  Ｄｉｓｐｌａｙ）、またはＰｒｉｓｍ  Ｐｒｏｊｅｃｔ  Ｄｉｓｐｌａｙなどのディスプレイ装置を用いて、ユーザの目の前に各種情報が表示されるようにすることができる。
【０１２４】
前記ＨＭＤは、映像を拡大して虚像を形成するレンズと、そのレンズの焦点距離より近い位置に配置されたディスプレイパネルと、を含んで構成される。ＨＭＤがユーザの頭付近に装着されると、ユーザは、ディスプレイパネルに表示された映像をレンズを介して見ることにより、その虚像を視覚的に認知できることになる。
【０１２５】
一方、前記ＨＵＤは、ディスプレイパネルに表示された映像がレンズにより拡大され、前記拡大された画像がハーフミラで反射されて、前記反射光がユーザに見えることで虚像が形成されるように構成されている。また、前記ハーフミラは、外部の光を透過させるようになっているため、ユーザは、ハーフミラを透過する外部からの光により前記ＨＵＤによって形成された虚像とともに前景も見ることができる。
【０１２６】
そして、前記ディスプレイ装置は、ＴＯＬＥＤ（Ｔｒａｎｓｐａｒａｎｔ  ＯＬＥＤ）などの様々な透明ディスプレイ方式を用いて具現されることができる。
【０１２７】
一方、前記Ｐｒｉｓｍ  Ｐｒｏｊｅｃｔ  Ｄｉｓｐｌａｙは、ミニプロジエクタのビームがプリズム内の板で反射されて着用者の目に入り、この光が目の網膜の黄斑に結ばれ、視神経がこの視覚情報を脳に伝達することで、ユーザは、前景とともにＰｒｉｓｍ  Ｐｒｏｊｅｃｔ  Ｄｉｓｐｌａｙにより表示される映像を見ることができる。このようなＰｒｉｓｍ  Ｐｒｏｊｅｃｔ  Ｄｉｓｐｌａｙを用いた着用型電子装置はプロジェクトグラスであることができ、この場合、上述の図１０と異なって、別のレンズ部を備えなくてもよい。
【０１２８】
以下では、着用型電子装置２００がＨＵＤを備える場合を例として本発明の一実施形態を説明するが、本発明はこれに限定されない。
【０１２９】
左側のツル３０及び右側のツル３１の少なくとも一つの後面に、プロジエクタと類似した機能をするＨＵＤが取り付けられることができる。
【０１３０】
ＨＵＤから放出される光による画像が、左右のレンズ５０、５１で反射されてユーザに見えることで、ユーザには、ＨＵＤにより形成されるオブジェクトが左右のレンズ５０、５１上に表示されると認知されることができる。
【０１３１】
一方、図１０とは異なって、着用型電子装置２００が左右のレンズの何れか一つ（例えば、右側のレンズ５１）のみを備えて、一方の目にのみＨＵＤなどの着用型電子装置２００内のディスプレイ装置で表示される映像が見えるようにすることができる。
【０１３２】
また、ユーザの一方の目（例えば、左側の目）部分は、レンズにより覆われずに完全に開放され、他方の目（例えば、右側の目）部分のうち上側一部のみがレンズ１１により覆われる構造で、着用型電子装置２００が具現されることもできる。
【０１３３】
上記のような着用型電子装置２００の形状及び構成などは、利用分野、主機能、主使用階層などの様々な必要に応じて選択または変更されることができる。
【０１３４】
一方、このようなディスプレイ装置は、図１から図９に図示されたディスプレイ部１１０の機能を担うことができる。但し、スマートグラス２００を用いる場合、ユーザが着用して自分の目の前に広がる前景を見ることができるようにするというスマートグラス２００の特性上、図１および図２で説明した撮影部２６０のライブビュー撮影動作が不要であり得る（すなわち、撮影イメージを表示する必要がない）。すなわち、ＨＵＤのようなディスプレイ装置は、上述の第２、第３のイメージの結合により生成された「輪郭線を有する透明な第１のイメージ」を表示することで、着用者が、ディスプレイ装置により表示される情報と目の前に広がる前景をともに見ることができる。この場合、着用者は、図９のディスプレイ部１１０に図示された画面と類似した画面がレンズ５０、５１上に表示されると認知することができる。
【０１３５】
これにより、ユーザは、スマートグラスまたはプロジェクトグラスに表示された画面を見ながら、紙などの媒体に絵をさらに容易に写し描くことができる。すなわち、スマートフォンなどの電子装置でライブビュー撮影による撮影イメージを見ながら描くことは、実際の手の動きと、撮影によって画面に表示される手の動きと、の間にディレイが発生するが、スマートグラスまたはプロジェクトグラスは、実際の手の動きと第１のイメージとを同時に見るため、このような欠点を完璧に補完することができる。
【０１３６】
すなわち、スマートフォンのように、カメラを駆動してライブビュー画面に第１のイメージを表示することで絵を写し描く機器を用いる場合には、実際の手の動きとライブビュー画面上の手の動きとの間に、微細なディレイが発生する。しかし、スマートグラスまたはプロジェクトグラスの場合には、ＨＵＤ（Ｈｅａｄ  Ｕｐ  Ｄｉｓｐｌａｙ）、ＨＭＤ（Ｈｅａｄ  Ｍｏｕｎｔｅｄ  Ｄｉｓｐｌａｙ）、ｐｒｉｓｍ  ｐｒｏｊｅｃｔ、ｐｒｉｓｍ  ｄｉｓｐｌａｙ、及び上記で定義した各種ディスプレイ装置を用いて作動され、カメラのライブビューでなく実際の場面（ユーザの目の前に広がる前景映像）と第１のイメージとがともに見えるため、ユーザが実際の自分の手を直接見ながら第１のイメージを写し描くことになる。そのため、ライブビューで発生するディレイがないという大きい利点がある。
【０１３７】
また、本発明のアプリケーションが設けられたスマートフォン、デジタルカメラなどの機器を使用するためには、機器を固定するためにどこかに載置しなければならない不便さがあるが、スマートグラスまたはプロジェクトグラスは、基本的にユーザの目の前に載置されて自然に固定されるため、この点でも大きい利点がある。
【０１３８】
一方、本発明の一実施形態によれば、ユーザの操作によって電子装置１００が動く場合、ディスプレイ部１１０に表示された第１のイメージは固定された状態で、撮影イメージのみがライブビュー撮影に対応する撮影イメージに変更して表示されることができる。すなわち、「輪郭線を有し透明度が調節された第１のイメージ」は、ユーザが写し描きを所望するイメージであるため、電子装置１００のディスプレイ部１１０の画面に固定されている。しかし、撮影イメージはライブビュー撮影によるイメージであり、電子装置１００の動きに伴って撮影部でリアルタイムで撮影される映像が変わるため、ライブビュー撮影に対応する撮影イメージに変更して表示されることができる。
【０１３９】
但し、これは本発明の一実施形態にすぎず、具現例に応じて、ユーザの操作によって電子装置１００が動く場合、第１のイメージが電子装置１００の動きに対応するように移動して表示されることができる。
【０１４０】
図１１は本発明の一実施形態による電子装置の制御方法を説明するためのフローチャートである。図１１を参照すれば、先ず、特定イメージを選択してもらうことができる（Ｓ１１０１）。
【０１４１】
そして、選択してもらったイメージに対して、輪郭線を有し透明度が調節された第１のイメージを生成することができる（Ｓ１１０２）。
【０１４２】
そして、生成された第１のイメージを前記電子装置のライブビュー撮影に対応する撮影イメージと重ねて表示することができる（Ｓ１１０３）。
【０１４３】
ここで、第１のイメージを生成する一例については、図１２を参照して具体的に説明する。
【０１４４】
図１２は本発明の一実施形態による、輪郭線を有し透明度が調節された第１のイメージを生成する方法を説明するためのフローチャートである。図１２を参照すれば、先ず、選択してもらったイメージにおける輪郭線を抽出した第２のイメージを生成することができる（Ｓ１２０１）。
【０１４５】
そして、選択してもらったイメージにおける透明度を調節した第３のイメージを生成することができる（Ｓ１２０２）。
【０１４６】
そして、生成された第２、第３のイメージを結合して第１のイメージを生成することができる（Ｓ１２０３）。
【０１４７】
一方、上述の表示するステップ（Ｓ１１０３）では、電子装置のライブビュー撮影に対応する撮影イメージを下位レイヤーに配置し、生成された第１のイメージを上位レイヤーに配置して、撮影イメージと生成された第１のイメージとを重ねて表示することができる（Ｓ１２０４）。
【０１４８】
一方、表示するステップ（Ｓ１２０４）では、透明度調節対象を選択してもらうための第１の領域、透明度レベルを選択してもらうための第２の領域、前記撮影に対する自動焦点ＯＮ／ＯＦＦ制御を選択してもらうための第３の領域をさらに含む画面を表示することができる。この際、第３のイメージを生成するステップ（Ｓ１２０２）では、第１の領域で選択してもらった透明度調節対象、第２の領域で選択してもらった透明度レベルに基づいて第１のイメージを生成することができる。以下では、透明度調節対象として輪郭線を除いた領域が選択される場合について図１３を参照して具体的に説明する。
【０１４９】
図１３は本発明の一実施形態による、輪郭線を有し透明度が調節された第１のイメージを生成する方法を説明するためのフローチャートである。図１３を参照すれば、先ず、ライブビュー撮影に対応する撮影イメージと重なって表示される第１のイメージの透明度レベルを、第２の領域で選択してもらうことができる（Ｓ１３０１）。
【０１５０】
この場合、第３のイメージのＲＧＢＡ値のうち、選択してもらった透明度レベルに対応するＡ（ＡＬＰＨＡ）値を適用して新しい第３のイメージを生成することができる（Ｓ１３０２）。
【０１５１】
そして、予め生成された、抽出された輪郭線に関連する第２のイメージに、Ｓ１３０２ステップで生成された第３のイメージを結合することで、新しい第１のイメージを生成することができる（Ｓ１３０３）。
【０１５２】
そして、Ｓ１３０３ステップで生成された第１のイメージを、電子装置のライブビュー撮影に対応する撮影イメージと重ねて表示することができる（Ｓ１３０４）。
【０１５３】
一方、上述の表示するステップ（Ｓ１２０４）では、精密描写メニューが選択されると、第１のイメージを複数の領域に区画して電子装置のライブビュー撮影に対応する撮影イメージとともに表示することができる。複数の領域のうち一領域が選択されると、選択された一領域を拡大して電子装置のライブビュー撮影に対応する撮影イメージとともに表示することができる。
【０１５４】
また、本発明の一実施形態による制御方法は、生成された第１のイメージを格納するステップをさらに含むことができる。
【０１５５】
また、本発明の一実施形態による制御方法は、生成された第１のイメージをイメージ交換／取り引きサーバに送信するステップをさらに含むことができる。
【０１５６】
図１４は本発明の一実施形態による着用型電子装置を用いて絵を写し描く方法の一例を示した図面である。図１４を参照すれば、着用型電子装置２００は、例えば、プロジェクトグラスとして具現されることができる。この場合、プロジェクトグラスを着用したユーザは、ｐｒｉｓｍ  ｐｒｏｊｅｃｔ、ｐｒｉｓｍ  ｄｉｓｐｌａｙによって「輪郭線を有し透明度が調節された第１のイメージ」を目１4０３で見ながら、これとともにユーザの目１４０３の前に広がる「絵を描いている手１４０１」と「ユーザが第１のイメージを見ながら写し描いた絵が描かれた紙１４０２」を前景として見ることができる。
【０１５７】
これにより、ユーザは、着用型電子装置を用いて、目に見える第１のイメージ及び前景映像を用いて紙などの媒体に絵をさらに容易に写し描くことができる。
【０１５８】
一方、上述の本発明の様々な実施形態による電子装置の制御方法は、プログラムコードで具現されて様々な非一時的読み取り可能な媒体（ｎｏｎ‐ｔｒａｎｓｉｔｏｒｙ  ｃｏｍｐｕｔｅｒ  ｒｅａｄａｂｌｅ  ｍｅｄｉｕｍ）に格納された状態で各サーバまたは機器に提供されることができる。
【０１５９】
非一時的読み取り可能な媒体とは、レジスタ、キャッシュ、メモリなどの短い瞬間にデータを格納する媒体でなく、半永久的にデータを格納し、機器により読み取り（ｒｅａｄｉｎｇ）可能な媒体を意味する。具体的には、上述の様々なアプリケーションまたはプログラムは、ＣＤ、ＤＶＤ、ハードディスク、ブルーレイディスク、ＵＳＢ、メモリカード、ＲＯＭなどの非一時的読み取り可能な媒体に格納されて提供されることができる。
【０１６０】
また、以上では本発明の好ましい実施形態について図示及び説明したが、本発明は上述の特定実施形態に限定されず、特許請求の範囲で請求する本発明の要旨を逸脱することなく、当該発明が属する技術分野において通常の知識を有する者により様々な変形実施が可能であることは勿論、このような変形実施は、本発明の技術的思想や展望から個別的に理解されてはならない。
【図１】
2016531453.tif 000003
【図２】
2016531453.tif 000004
【図３】
2016531453.tif 000005
【図４】
2016531453.tif 000006
【図５】
2016531453.tif 000007
【図６】
2016531453.tif 000008
【図７（ａ）】
2016531453.tif 000009
【図７（ｂ）】
2016531453.tif 000010
【図８（ａ）】
2016531453.tif 000011
【図８（ｂ）】
2016531453.tif 000012
【図８（ｃ）】
2016531453.tif 000013
【図９】
2016531453.tif 000014
【図１０】
2016531453.tif 000015
【図１１】
2016531453.tif 000016
【図１２】
2016531453.tif 000017
【図１３】
2016531453.tif 000018
【図１４】
2016531453.tif 000019
【国際調査報告】
2016531453.tif 000020
2016531453.tif 000021
2016531453.tif 000022
2016531453.tif 000023